(57)【特許請求の範囲】
【請求項１】
ウィンドシールドの湿潤状態を検出してセンサ信号を送出するためのセンサ装置と、前記センサ信号を受信しかつ湿潤検出段、インターバル時間制御器及び制御信号発生器を内蔵した評価装置と、クリーニング動作を発生させるために前記評価装置によって制御されるウィンドシールド・ワイパー用の作動制御ユニットとを備えた形式の、ウィンドシールドに湿潤が生じた際にクリーニング動作を直接トリガする直接運転モードで、又は相応の湿潤事象時に規定可能なインターバル時間をとってクリーニング動作列をトリガするインターバル運転モードで、或いは又、休止期なしにクリーニング動作を互いに連続させる連続運転モードで、ウィンドシールド・ワイパーを運転する装置において、インターバル時間制御器（２２）がインターバル時間（ｔI,ｔI+1）のための平滑化段を備えており、該平滑化段は、インターバル開始時点（ＩＢ）以降の湿潤事象が第１インターバル時間（ｔI）内のどのような規定の時間区分に属しているかを前記平滑化段によって確認でき、かつ前記湿潤事象の属している時間区分が早くなるに応じて、第２インターバル時間（ｔI+1）がそれだけ短くなるように構成されており、この場合に前記第２インターバル時間は前記第１インターバル時間の次のインターバル時間であり、湿潤事象が第２インターバル時間（ｔI+1）の第１時間区分において発現する場合には、前記第２インターバル時間（ｔI+1）に更に続く第３インターバル時間のインターバル時間は、前記第２インターバル時間が第１インターバル時間に対して短縮された％分よりも大きな％分だけ前記第２インターバル時間（ｔI+1）に対して短縮されており、また湿潤事象がその都度先行するインターバル時間の第１時間区分に属する場合には、それ以後のインターバル時間が、前記先行するインターバル時間に対して前記第３インターバル時間と同じ％分だけ短縮されていることを特徴とする、ウィンドシールド・ワイパーの運転装置。
【請求項２】
湿潤事象が第１インターバル時間外で発現する場合には第２インターバル時間（ｔI+1）は、前記第１インターバル時間と等しいままであり、湿潤事象が第２インターバル時間外で発現する場合には第３インターバル時間が、前記第２インターバル時間に対して規定の％分だけ延長されており、湿潤事象が第３インターバル時間外で発現する場合には第４インターバル時間は、前記第３インターバル時間が前記第２インターバル時間に対して延長された％分よりも大きな％分だけ前記第３インターバル時間に対して延長されており、また湿潤事象が第４インターバル時間外で発現する場合には直接運転モードへの切換えが行われる、請求項１記載の運転装置。
【請求項３】
第４インターバル時間を経た後に該第４インターバル時間に続くべき次のインターバル時間が消去されている場合にだけ直接運転モードへの切換えが可能である、請求項２記載の運転装置。
【請求項４】
第１時間区分がやはり互いに連続する２つの等しい大きさの時間域に分割されており、かつ湿潤事象が第１時間域に属している場合には、それに続くインターバル時間の短縮％分は、湿潤事象が第２時間域に属している場合よりも大きい、請求項１記載の運転装置。
【請求項５】
インターバル時間が最小限度と最大限度内で移動し、最小限度を下回ると運転モードが連続運転モードに切換わり、最大限度を上回ると運転モードが直接運転モードに切換わる、請求項１から４までのいずれか１項記載の運転装置。
【請求項６】
インターバル運転モードが直接運転モードからだけ得られ、かつ、該直接運転モードの先行する２つの休止時間が何れもインターバル時間の最大限度より小である場合に、前記の先行する両休止時間の平均値から第１インターバル時間（ｔI）が求められている、請求項１から５までのいずれか１項記載の運転装置。
【発明の詳細な説明】
技術分野：
本発明は、ウィンドシールドの湿潤状態を検出してセンサ信号を送出するためのセンサ装置と、前記センサ信号を受信しかつ湿潤検出段、インターバル時間制御器及び制御信号発生器を内蔵した評価装置と、クリーニング動作を発生させるために前記評価装置によって制御されるウィンドシールド・ワイパー用の作動制御ユニットとを備えた形式の、ウィンドシールドに湿潤が生じた際にクリーニング動作を直接トリガする直接運転モードで、又は相応の湿潤事象時に規定可能なインターバル時間をとってクリーニング動作列をトリガするインターバル運転モードで、或いは又、休止期なしにクリーニング動作を互いに連続させる連続運転モードで、ウィンドシールド・ワイパーを運転する装置に関するものである。
背景技術：
前記形式の運転装置は、ドイツ連邦共和国特許第４０１８９０３号明細書において公知のものと論証されている。この公知の運転装置ではクリーニング動作はセンサ装置の検出信号を基礎として制御され、該検出信号は評価装置によって評価される。インターバル運転モードが設けられている場合には、該インターバルは、ウィンドシールド面における雨水又はその他の水分皮膜を含めた湿潤事象に関連して選定可能であると共に、先行のインターバル時間並びにトリガされるクリーニング動作の持続時間に関連して選定可能である。しかしながらこの場合インターバル時間の不都合な飛躍的変化が発生することがある。
発明の開示：
本発明の課題は、冒頭で述べた形式の運転装置を改良して、簡単な形式でインターバル時間の平滑化を達成できるようにすることである。
前記課題を解決するための本発明の構成手段は、請求項１に記載した通り、インターバル時間制御器がインターバル時間のための平滑化段を備えており、該平滑化段は、インターバル開始時点以降の湿潤事象が第１インターバル時間内のどのような規定の時間区分に属しているかを前記平滑化段によって確認でき、かつ前記湿潤事象の属している時間区分が早くなるに応じて、第２インターバル時間がそれだけ短くなるように構成されている点にある。
このように構成すれば、クリーニング動作が順次に続く場合に、運転者を妨害することになるインターバル時間の大きな飛躍的変化が回避される。
インターバル時間の良好な平滑化を得るための簡単な構成手段は、インターバル時間が、２つの等しい大きさの時間区分に分割されており、かつ湿潤事象が第２時間区分に属している場合には、第２インターバル時間は旧インターバル時間に等しいままであり、また湿潤事象が第１時間区分に属している場合には前記の旧インターバル時間の固定分だけ低下される点にある。
更に、湿潤事象が第２インターバル時間の第１時間区分において発現する場合には、第２インターバル時間に更に続く第３インターバル時間のインターバル時間が、前記第２インターバル時間よりも大きな％分だけ短縮されており、また湿潤事象がその都度先行するインターバル時間の第１時間区分に属する場合には、それ以後のインターバル時間が、前記第３インターバル時間と同じ％分だけ短縮されているようにすれば、インターバル時間の有害な飛躍的変化が効果的に避けられる。
湿潤事象が第１インターバル時間外で発現する場合には第２インターバル時間は等しいままであり、湿潤事象が第３インターバル時間外で発現する場合には第３インターバル時間が規定の％分だけ延長されており、湿潤事象が第３インターバル時間外で発現する場合には第４インターバル時間が第３インターバル時間よりも大きな％分だけ延長されており、また湿潤事象が第４インターバル時間外で発現する場合には直接運転モードへの切換えが行われるようにすれば、平滑化を改善するための更なる簡単な手段が得られる。
最終インターバル時間を経た後に次のインターバル時間が消去されている場合にだけ直接運転モードへの切換えが可能であるように運転装置を構成すれば、インターバル運転モードから直接運転モードへの移行時にダブルクリーニング動作を生起させるような不都合な事態は避けられる。
第１時間区分がやはり２つの等しい大きさの時間域に分割されており、かつ湿潤事象が第１時間域に属している場合には、それに続くインターバル時間の短縮％分は、湿潤事象が第２時間域に属している場合よりも大きくなるように運転装置を構成すれば、インターバル時間の平滑化を改善するための更に有利な手段が得られる。
またインターバル運転モードを明確に規定するために、インターバル時間が最小限度と最大限度内で移動し、最小限度を下回ると運転モードが連続運転モードに切換わり、最大限度を上回ると運転モードが直接運転モードに切換わるようにする。
インターバル運転モードが直接運転モードからだけ得られ、かつ、該直接運転モードの先行する２つの休止時間が何れもインターバル時間の最大限度より小である場合に、前記の先行する両休止時間の平均値から第１インターバル時間が求められるようにすることによって、インターバル運転モードへの移行は簡単かつ確実に得られる。
【図面の簡単な説明】
図１はウィンドシールド・ワイパーの運転装置の概略的なブロック図である。
図２は運転装置の作業態様を説明するために示したインターバル時間図である。
図３は図１に示した評価装置の主要部分図である。
発明を実施するための最良の形態：
次に図面に基づいて本発明の実施例を詳説する。
図１に示したウィンドシールド・ワイパーの運転装置はセンサ装置１０を備え、該センサ装置は、すでに前処理されたセンサ信号Ｓを評価装置２０に送出する。該評価装置２０は制御信号ＳＴを発生し、該制御信号によって作動制御ユニット３０を介して、センサ信号Ｓの評価に適応されたクリーニング動作がトリガされる。
このような装置では、直接運転モードが慣用されており、該直接運転モードでは、雨、雪又は含湿ダストのような時として発生する湿潤事象時に、必要に応じてクリーニング動作がトリガされ、該クリーニング動作間には大抵は、異なった長さのクリーニング休止期が介在している。例えば通常の雨の場合には（クリーニング休止期のない）連続運転モードが接続されるのに対して、細雨又は濃霧時の微水滴によるガラス曇りのような別の湿潤事象時にはインターバル運転モードがトリガされる。
インターバル運転モードでは、最小インターバル時間と最大インターバル時間内で湿潤事象に応じて種々異なったインターバル時間ｔI+1などが評価装置２０によって選定可能である。インターバル時間の突発的な変化は運転者に妨害作用を及ぼすことがある。インターバル時間が変化した場合、本発明では図２及び図３に示したように平滑化が行われる。
このために図２によれば、インターバル開始時点ＩＢとインターバル終了時点ＩＥとの間のインターバル時間ｔIは２つの等しい大きさの時間区分に分割される。第１時間区分は、図２に示したように更に２つの等しい大きさの時間域に分割される。図３では前記評価装置２０の主要な評価段がブロック回路図で示されている。
検出段２１によって検出される湿潤事象が第２の時間区分に属する場合には、それに続く第２インターバル時間ｔI+1は、旧の第１インターバル時間ｔIに対して不変である。湿潤事象が第１時間区分の第２時間域に属する場合には、第２インターバル時間ｔI+1は第１インターバル時間ｔIに対して２５％だけ延長されるのに対して、湿潤事象が第１時間区分の第１時間域に属する場合には、第２インターバル時間ｔI+1は５０％だけ延長される。評価装置２０のインターバル時間制御器２２によって、それに相応した情報が制御信号発生器２３に送出される。
更に又、前記インターバル時間制御器２２は、湿潤事象が同じ時間域に属する場合には、インターバル時間の最初の短縮後に、それに直接続く次のインターバル時間をより強く短縮するように構成することができる。例えば湿潤事象が第１時間区分の第２時間域に属する故に第２インターバル時間ｔI+1が２５％だけ短縮される場合、該第２インターバル時間ｔI+1の第１時間区分の第２時間域に湿潤事象が属している以上、第３インターバル時間は例えば５０％だけ短縮される。或る湿潤事象において各インターバル時間は、相応の時間域で先行の時間インターバルに対してその都度更に５０％だけ短縮される。
或る湿潤事象が例えば第１インターバル時間ｔIの範囲外で発現する場合には、次の第２インターバル時間ｔI+1の持続時間は例えば不変であるのに対して、これに延長が続く場合には、第３インターバル時間は第２インターバル時間に対して例えば２５％だけ増大され、また第３の延長時には第４インターバル時間は第３インターバル時間に対して５０％だけ増大される。更なる延長の場合は直接運転モードに切換えられるのが有利である。
直接運転モードへの移行は、直接運転モードが湿潤事象に直接反応するが故に、インターバル運転モードにおける最終クリーニング動作後に或る湿潤事象が生起した場合に、不都合にも即座に再び或るクリーニング動作を惹起することがあるので、別のインターバル時間を経た後に始めて直接運転モードに切換わるように規定されている。
すでに述べたようにインターバル運転モードは、直接運転モードからしか得ることができない。その場合、第１インターバル時間は直接運転モードの最後の２つの休止時間の平均値から算出され、しかも前記の両休止時間が最大インターバル時間よりも大でない場合に、インターバル運転モードへの移行が行われる。
前記の手段によって、平滑化されたインターバル運転モードが簡単に得られ、しかもクリーニング動作は、変化する湿潤状況に迅速に充分適合することができる。
前記評価装置２０は有利にディジタル式に構成されており、かつ前記の措置を実現するために個々の段階を１つのプログラムに記憶させておくことができる。
【図１】
0003902653.tif 000002
【図２】
0003902653.tif 000003
【図３】
0003902653.tif 000004